(57)【要約】【課題】本発明は真空パック装置を提供した。【解決手段】装置本体及び前記装置本体に設置されている操作チャンバを含み、前記操作チャンバの底壁の中には上方に開口した回転チャンバが設置され、前記回転チャンバの中には前後に伸びている第一回転軸が回転できるように設置され、前記第一回転軸の外面には回転フレーム及びウォームホイールが固定的に設置され、本発明の真空パック装置を使用してパックする時に密封袋の中の空気を排出することができ、そして密封袋を密封し、使用が便利で、操作が簡単で、実用性が高い。【選択図】図１
2020175948.tif 000002
【特許請求の範囲】
【請求項１】
装置本体及び前記装置本体に設置されている操作チャンバを含み、前記操作チャンバの底壁の中には上方に開口した回転チャンバが設置され、前記回転チャンバの中には前後に伸びている第一回転軸が回転できるように設置され、前記第一回転軸の外面には回転フレーム及びウォームホイールが固定的に設置され、前記回転フレームの中には上下に貫通している抜き穴が設置され、前記抜き穴の右側端壁の中には上下に貫通している第一スライド溝が設置され、前記第一スライド溝の中には第一スライド板がスライドできるように設置され、前記第一スライド板と前記第一スライド溝の端壁との間には第一復帰装置が弾性的に設置され、前記回転チャンバの底壁の中には気体圧縮チャンバが設置され、前記気体圧縮チャンバの底壁の中には切換チャンバが設置され、前記切換チャンバと前記回転チャンバとの間には前記ウォームホイールと噛み合っているウォームが回転できるように設置され、前記切換チャンバの中の前記ウォームの末端には第一ギヤが固定的に設置され、前記切換チャンバの底壁の中には上方に開口したスライドチャンバが設置され、前記スライドチャンバの左側端壁の中には第一伝動チャンバが設置され、前記スライドチャンバの中にはスライドブロックがスライドできるように設置され、前記スライドブロックの頂壁の中には第一モータが固定的に設置され、前記第一モータの出力軸の上へ伸びている末端には第二ギヤが固定的に設置され、前記スライドブロックの中には左右に貫通している第一ねじ穴が設置され、前記第一ねじ穴の中には左右に伸びている第一ねじロッドがねじ山によって連結され、前記第一ねじロッドの左側延伸端が前記第一伝動チャンバの中に伸びており、また前記第一ねじロッドの末端には第一傘歯車が固定的に設置され、前記第一ねじロッドが回転して前記スライドブロックを移動連動させ、それにより前記第一モータが異なる動力を切り換えることが実現されることを特徴とする真空パック装置。
【請求項２】
前記スライドチャンバの右側端壁の中には第二伝動チャンバが設置され、前記第二伝動チャンバと前記切換チャンバとの間には第二回転軸が回転できるように設置され、前記切換チャンバの中の前記第二回転軸の末端には第三ギヤが固定的に設置され、前記第二伝動チャンバの中の前記第二回転軸の末端には第二傘歯車が固定的に設置され、前記第二伝動チャンバの右側端壁の中にはカムチャンバが設置され、前記第二伝動チャンバと前記カムチャンバとの間には第三回転軸が回転できるように設置され、前記第二伝動チャンバの中の前記第三回転軸の末端には前記第二傘歯車と噛み合っている第三傘歯車が固定的に設置され、前記カムチャンバの中の前記第三回転軸の末端にはカムが固定的に設置され、前記カムチャンバの頂壁の中には第二スライド溝が設置され、前記第二スライド溝の中には導電ロッドと、前記導電ロッドの上方に設置されていて通電ブロックを持っているホットメルトブロックとがスライドできるように設置され、前記ホットメルトブロックと前記導電ロッドとの間には押圧ばねが弾性的に設置され、前記カムが回転して前記導電ロッドを連動させて上へ移動させ、それにより前記導電ロッドが前記ホットメルトブロックと電気的に接続され、それによりホットメルトブロックが密封袋を加熱して融合させることを実現することを特徴とする請求項１に記載の真空パック装置。
【請求項３】
前記操作チャンバの中には固定ブロックが設置され、前記固定ブロックの底壁の中には下方に開口した空きチャンバが設置され、前記空きチャンバの中には加圧ブロックが設置され、前記空きチャンバの頂壁の中にはスライド穴が設置され、前記操作チャンバの頂壁の中にはベルトチャンバが設置され、前記ベルトチャンバと前記第一伝動チャンバとの間には第四回転軸が回転できるように設置され、前記第一伝動チャンバの中の前記第四回転軸の末端には前記第一傘歯車と噛み合っている第二傘歯車が固定的に設置され、前記ベルトチャンバの中の前記第四回転軸の頂部が前記ベルトチャンバの頂壁の中に固定的に設置されている第二モータと動力が伝達できるように連結され、前記ベルトチャンバの中の前記第四回転軸の外面には第一プーリが固定的に設置され、前記ベルトチャンバの中には上下に伸びているねじスリーブが回転できるように設置され、前記ねじスリーブの中には上下に貫通している第二ねじ穴が設置され、前記第二ねじ穴の中には前記加圧ブロックと固定的に連結される第二ねじロッドがねじ山によって連結され、前記第二ねじロッドと前記スライド穴の端壁との間には第二復帰ばねが弾性的に設置され、前記ねじスリーブが回転して前記第二ねじロッドを連動させて下へ移動させ、それにより前記固定ブロックを連動させて下へ移動させることを特徴とする請求項１に記載の真空パック装置。
【発明の詳細な説明】
【技術分野】
【０００１】
本発明はパック分野に関わり、具体的には真空パック装置である。
【背景技術】
【０００２】
人々が顆粒状の物を包装する時、密封が足りなくて空気が入ってしまって物は変質する情況がよくあり、従って上記の問題を解決するため、真空パック装置が強く求められている。
【先行技術文献】
【特許文献】
【０００３】
【特許文献１】中国特許出願公開第109466833号明細書
【発明の概要】
【発明が解決しようとする課題】
【０００４】
本発明は真空パック装置を提供し、既存技術にある上記欠点を解消し、設備の実用性を高めることを目的とする。
【課題を解決するための手段】
【０００５】
本発明の真空パック装置は、装置本体及び前記装置本体に設置されている操作チャンバを含み、前記操作チャンバの底壁の中には上方に開口した回転チャンバが設置され、前記回転チャンバの中には前後に伸びている第一回転軸が回転できるように設置され、前記第一回転軸の外面には回転フレーム及びウォームホイールが固定的に設置され、前記回転フレームの中には上下に貫通している抜き穴が設置され、前記抜き穴の右側端壁の中には上下に貫通している第一スライド溝が設置され、前記第一スライド溝の中には第一スライド板がスライドできるように設置され、前記第一スライド板と前記第一スライド溝の端壁との間には第一復帰装置が弾性的に設置され、前記回転チャンバの底壁の中には気体圧縮チャンバが設置され、前記気体圧縮チャンバの底壁の中には切換チャンバが設置され、前記切換チャンバと前記回転チャンバとの間には前記ウォームホイールと噛み合っているウォームが回転できるように設置され、前記切換チャンバの中の前記ウォームの末端には第一ギヤが固定的に設置され、前記切換チャンバの底壁の中には上方に開口したスライドチャンバが設置され、前記スライドチャンバの左側端壁の中には第一伝動チャンバが設置され、前記スライドチャンバの中にはスライドブロックがスライドできるように設置され、前記スライドブロックの頂壁の中には第一モータが固定的に設置され、前記第一モータの出力軸の上へ伸びている末端には第二ギヤが固定的に設置され、前記スライドブロックの中には左右に貫通している第一ねじ穴が設置され、前記第一ねじ穴の中には左右に伸びている第一ねじロッドがねじ山によって連結され、前記第一ねじロッドの左側延伸端が前記第一伝動チャンバの中に伸びており、また前記第一ねじロッドの末端には第一傘歯車が固定的に設置され、前記第一ねじロッドが回転して前記スライドブロックを移動連動させ、それにより前記第一モータが異なる動力を切り換えることが実現される。
【０００６】
好ましくは、前記スライドチャンバの右側端壁の中には第二伝動チャンバが設置され、前記第二伝動チャンバと前記切換チャンバとの間には第二回転軸が回転できるように設置され、前記切換チャンバの中の前記第二回転軸の末端には第三ギヤが固定的に設置され、前記第二伝動チャンバの中の前記第二回転軸の末端には第二傘歯車が固定的に設置され、前記第二伝動チャンバの右側端壁の中にはカムチャンバが設置され、前記第二伝動チャンバと前記カムチャンバとの間には第三回転軸が回転できるように設置され、前記第二伝動チャンバの中の前記第三回転軸の末端には前記第二傘歯車と噛み合っている第三傘歯車が固定的に設置され、前記カムチャンバの中の前記第三回転軸の末端にはカムが固定的に設置され、前記カムチャンバの頂壁の中には第二スライド溝が設置され、前記第二スライド溝の中には導電ロッドと、前記導電ロッドの上方に設置されていて通電ブロックを持っているホットメルトブロックとがスライドできるように設置され、前記ホットメルトブロックと前記導電ロッドとの間には押圧ばねが弾性的に設置され、前記カムが回転して前記導電ロッドを連動させて上へ移動させ、それにより前記導電ロッドが前記ホットメルトブロックと電気的に接続され、それによりホットメルトブロックが密封袋を加熱して融合させることを実現する。
【０００７】
好ましくは、前記操作チャンバの中には固定ブロックが設置され、前記固定ブロックの底壁の中には下方に開口した空きチャンバが設置され、前記空きチャンバの中には加圧ブロックが設置され、前記空きチャンバの頂壁の中にはスライド穴が設置され、前記操作チャンバの頂壁の中にはベルトチャンバが設置され、前記ベルトチャンバと前記第一伝動チャンバとの間には第四回転軸が回転できるように設置され、前記第一伝動チャンバの中の前記第四回転軸の末端には前記第一傘歯車と噛み合っている第二傘歯車が固定的に設置され、前記ベルトチャンバの中の前記第四回転軸の頂部が前記ベルトチャンバの頂壁の中に固定的に設置されている第二モータと動力が伝達できるように連結され、前記ベルトチャンバの中の前記第四回転軸の外面には第一プーリが固定的に設置され、前記ベルトチャンバの中には上下に伸びているねじスリーブが回転できるように設置され、前記ねじスリーブの中には上下に貫通している第二ねじ穴が設置され、前記第二ねじ穴の中には前記加圧ブロックと固定的に連結される第二ねじロッドがねじ山によって連結され、前記第二ねじロッドと前記スライド穴の端壁との間には第二復帰ばねが弾性的に設置され、前記ねじスリーブが回転して前記第二ねじロッドを連動させて下へ移動させ、それにより前記固定ブロックを連動させて下へ移動させる。
【発明の効果】
【０００８】
本発明有益な効果は：本発明の真空パック装置を使用してパックする時に密封袋の中の空気を排出することができ、そして密封袋を密封し、使用が便利で、操作が簡単で、実用性が高い。
【図面の簡単な説明】
【０００９】
本発明の実施例または既存の技術にある技術方案をよりはっきり説明できるため、下記に実施例または既存の技術を述べることに対して必要な附図を簡単に紹介し、明らかなように、下記に述べた附図はただ発明の一部分の実施例で、当業者にとって、創造的な労働を払わなくても、これらの附図に基づいてほかの附図を獲得できる。
【００１０】
【図１】図１は本発明の真空パック装置の全体構成概略図
【図２】図２は図１の中のＡ−Ａの構成概略図
【図３】図３は図１の中のＢの拡大構成概略図
【図４】図４は図１の中のＣの拡大構成概略図
【図５】図５は図１の中のＤの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
下記に図１−５を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１３】
図１−５に示すように、本発明の真空パック装置は、装置本体１０及び前記装置本体１０に設置されている操作チャンバ１６を含み、前記操作チャンバ１６の底壁の中には上方に開口した回転チャンバ１８が設置され、前記回転チャンバ１８の中には前後に伸びている第一回転軸２１が回転できるように設置され、前記第一回転軸２１の外面には回転フレーム１７及びウォームホイール２０が固定的に設置され、前記回転フレーム１７の中には上下に貫通している抜き穴５６が設置され、前記抜き穴５６の右側端壁の中には上下に貫通している第一スライド溝４５が設置され、前記第一スライド溝４５の中には第一スライド板４６がスライドできるように設置され、前記第一スライド板４６と前記第一スライド溝４５の端壁との間には第一復帰装置４３が弾性的に設置され、前記回転チャンバ１８の底壁の中には気体圧縮チャンバ５８が設置され、前記気体圧縮チャンバ５８の底壁の中には切換チャンバ５７が設置され、前記切換チャンバ５７と前記回転チャンバ１８との間には前記ウォームホイール２０と噛み合っているウォーム１９が回転できるように設置され、前記切換チャンバ５７の中の前記ウォーム１９の末端には第一ギヤ２２が固定的に設置され、前記切換チャンバ５７の底壁の中には上方に開口したスライドチャンバ３０が設置され、前記スライドチャンバ３０の左側端壁の中には第一伝動チャンバ２５が設置され、前記スライドチャンバ３０の中にはスライドブロック２８がスライドできるように設置され、前記スライドブロック２８の頂壁の中には第一モータ２９が固定的に設置され、前記第一モータ２９の出力軸の上へ伸びている末端には第二ギヤ５９が固定的に設置され、前記スライドブロック２８の中には左右に貫通している第一ねじ穴２７が設置され、前記第一ねじ穴２７の中には左右に伸びている第一ねじロッド２６がねじ山によって連結され、前記第一ねじロッド２６の左側延伸端が前記第一伝動チャンバ２５の中に伸びており、また前記第一ねじロッド２６の末端には第一傘歯車２４が固定的に設置され、前記第一ねじロッド２６が回転して前記スライドブロック２８を移動連動させ、それにより前記第一モータ２９が異なる動力を切り換えることが実現される。
【００１４】
有益なように、前記スライドチャンバ３０の右側端壁の中には第二伝動チャンバ３１が設置され、前記第二伝動チャンバ３１と前記切換チャンバ５７との間には第二回転軸４２が回転できるように設置され、前記切換チャンバ５７の中の前記第二回転軸４２の末端には第三ギヤ４４が固定的に設置され、前記第二伝動チャンバ３１の中の前記第二回転軸４２の末端には第二傘歯車４１が固定的に設置され、前記第二伝動チャンバ３１の右側端壁の中にはカムチャンバ３４が設置され、前記第二伝動チャンバ３１と前記カムチャンバ３４との間には第三回転軸３３が回転できるように設置され、前記第二伝動チャンバ３１の中の前記第三回転軸３３の末端には前記第二傘歯車４１と噛み合っている第三傘歯車３２が固定的に設置され、前記カムチャンバ３４の中の前記第三回転軸３３の末端にはカム３５が固定的に設置され、前記カムチャンバ３４の頂壁の中には第二スライド溝３８が設置され、前記第二スライド溝３８の中には導電ロッド３６と、前記導電ロッド３６の上方に設置されていて通電ブロックを持っているホットメルトブロック４０とがスライドできるように設置され、前記ホットメルトブロック４０と前記導電ロッド３６との間には押圧ばね３９が弾性的に設置され、前記カム３５が回転して前記導電ロッド３６を連動させて上へ移動させ、それにより前記導電ロッド３６が前記ホットメルトブロック４０と電気的に接続され、それによりホットメルトブロック４０が密封袋を加熱して融合させることを実現する。
【００１５】
有益なように、前記操作チャンバ１６の中には固定ブロック４９が設置され、前記固定ブロック４９の底壁の中には下方に開口した空きチャンバ４８が設置され、前記空きチャンバ４８の中には加圧ブロック４７が設置され、前記空きチャンバ４８の頂壁の中にはスライド穴５１が設置され、前記操作チャンバ１６の頂壁の中にはベルトチャンバ１３が設置され、前記ベルトチャンバ１３と前記第一伝動チャンバ２５との間には第四回転軸１５が回転できるように設置され、前記第一伝動チャンバ２５の中の前記第四回転軸１５の末端には前記第一傘歯車２４と噛み合っている第二傘歯車２３が固定的に設置され、前記ベルトチャンバ１３の中の前記第四回転軸１５の頂部が前記ベルトチャンバ１３の頂壁の中に固定的に設置されている第二モータ１１と動力が伝達できるように連結され、前記ベルトチャンバ１３の中の前記第四回転軸１５の外面には第一プーリ１２が固定的に設置され、前記ベルトチャンバ１３の中には上下に伸びているねじスリーブ５３が回転できるように設置され、前記ねじスリーブ５３の中には上下に貫通している第二ねじ穴５４が設置され、前記第二ねじ穴５４の中には前記加圧ブロック４７と固定的に連結される第二ねじロッド５５がねじ山によって連結され、前記第二ねじロッド５５と前記スライド穴５１の端壁との間には第二復帰ばね５０が弾性的に設置され、前記ねじスリーブ５３が回転して前記第二ねじロッド５５を連動させて下へ移動させ、それにより前記固定ブロック４９を連動させて下へ移動させる。
【００１６】
以下、出願人は附図１−５及び上記の本出願の真空パック装置の具体的な構成を参考してその使用方法を詳しく紹介する：
【００１７】
本発明を利用して真空パックを行う時、前記第一モータ２９を始動して回転させて前記第二ギヤ５９を回転連動させ、それにより前記第一ギヤ２２、前記ウォーム１９と前記ウォームホイール２０を回転連動させ、それにより前記回転フレーム１７を連動させて一定の角度に回転させ、上記のパックを行うことができる包装袋を前記空気圧縮チャンバ５８の中に置き、袋の口を右向きにして前記ホットメルトブロック４０の上方に置き、この時に前記第一モータ２９を始動して逆方向に回転させて前記回転フレーム１７を連動させて逆方向に回転させ、前記密封袋を挟み、この時に前記第二モータ１１を始動して前記第一プーリ１２を回転連動させ、それにより前記第二プーリ５２及び前記ねじスリーブ５３を回転連動させ、それにより前記第二ねじロッド５５を連動させて下へ移動させ、それにより前記固定ブロック４９を連動させて下へ移動させ、前記固定ブロック４９が下へ移動して前記第一スライド板４６と当接する時、前記第一スライド板４６が下へ移動して前記密封袋をきつく挟み、この時に前記ねじロッド５５が下へ移動し続けて前記加圧ブロック４７を連動させて下へ移動させ、前記加圧ブロック４７が下へ移動して前記空気圧縮チャンバ５８の中の空気を圧縮し、前記空気圧縮チャンバ５８の中の気圧が増加するにつれて、前記密封袋の中の気体が前記密封袋から押し出され、それと同時に、前記第二モータ１１が回転してまた前記第二傘歯車２３を回転連動させ、それにより前記第三傘歯車２４及び前記ねじロッド２６を回転連動させ、それにより前記スライドブロック２８を連動させて右へ移動させ、前記スライドブロック２８が右へ移動して前記第二ギヤ５９を連動させて前記第三ギヤ４４と噛み合わせ、この時に前記第一モータ２９を始動して回転させて前記第二ギヤ５９及び前記第三ギヤ４４を回転連動させ、それにより前記第二傘歯車４１、前記第三傘歯車３２と前記カム３５を回転連動させ、それにより前記導電ロッド３６を連動させて上へ移動させ、それにより前記導電ロッド３６が前記ホットメルトブロック４０にある通電ブロックと電気的に接続され、それにより前記ホットメルトブロック４０が密封袋を加熱して密封することを実現する。
【００１８】
以上詳細な分析からわかるのは：本発明の真空パック装置を使用してパックする時に密封袋の中の空気を排出することができ、そして密封袋を密封し、使用が便利で、操作が簡単で、実用性が高い。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020175948.tif 000003
【図２】
2020175948.tif 000004
【図３】
2020175948.tif 000005
【図４】
2020175948.tif 000006
【図５】
2020175948.tif 000007
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
装置本体及び前記装置本体に設置されている操作チャンバを含み、前記操作チャンバの底壁の中には上方に開口した回転チャンバが設置され、前記回転チャンバの中には前後に伸びている第一回転軸が回転できるように設置され、前記第一回転軸の外面には回転フレーム及びウォームホイールが固定的に設置され、前記回転フレームの中には上下に貫通している抜き穴が設置され、前記抜き穴の右側端壁の中には上下に貫通している第一スライド溝が設置され、前記第一スライド溝の中には第一スライド板がスライドできるように設置され、前記第一スライド板と前記第一スライド溝の端壁との間には第一復帰装置が弾性的に設置され、前記回転チャンバの底壁の中には密封袋の本体を置くことができる気体圧縮チャンバが設置され、前記気体圧縮チャンバの底壁の中には切換チャンバが設置され、前記切換チャンバと前記回転チャンバとの間には前記ウォームホイールと噛み合っているウォームが回転できるように設置され、前記切換チャンバの中の前記ウォームの末端には第一ギヤが固定的に設置され、前記切換チャンバの底壁の中には上方に開口したスライドチャンバが設置され、前記スライドチャンバの左側端壁の中には第一伝動チャンバが設置され、前記スライドチャンバの中にはスライドブロックがスライドできるように設置され、前記スライドブロックの頂壁の中には第一モータが固定的に設置され、前記第一モータの出力軸の上へ伸びている末端には第二ギヤが固定的に設置され、前記スライドブロックの中には左右に貫通している第一ねじ穴が設置され、前記第一ねじ穴の中には左右に伸びている第一ねじロッドがねじ山によって連結され、前記第一ねじロッドの左側延伸端が前記第一伝動チャンバの中に伸びており、また前記第一ねじロッドの末端には第一傘歯車が固定的に設置され、前記第一ねじロッドが回転して前記スライドブロックを移動連動させ、それにより前記第一モータが異なる動力を切り換えることが実現され、
前記スライドチャンバの右側端壁の中には第二伝動チャンバが設置され、前記第二伝動チャンバと前記切換チャンバとの間には第二回転軸が回転できるように設置され、前記切換チャンバの中の前記第二回転軸の末端には第三ギヤが固定的に設置され、前記第二伝動チャンバの中の前記第二回転軸の末端には第二傘歯車が固定的に設置され、前記第二伝動チャンバの右側端壁の中にはカムチャンバが設置され、前記第二伝動チャンバと前記カムチャンバとの間には第三回転軸が回転できるように設置され、前記第二伝動チャンバの中の前記第三回転軸の末端には前記第二傘歯車と噛み合っている第三傘歯車が固定的に設置され、前記カムチャンバの中の前記第三回転軸の末端にはカムが固定的に設置され、前記カムチャンバの頂壁の中には第二スライド溝が設置され、前記第二スライド溝の中には導電ロッドがスライド可能に設置され、前記導電ロッドの上方には通電ブロックを有するホットメルトブロックが設置され、前記ホットメルトブロックの上端と前記第一スライド板の下端とが互いに近づくとき密封袋の口をきつく挟んで密封でき、前記ホットメルトブロックと前記導電ロッドとの間には押圧ばねが弾性的に設置され、前記カムが回転して前記導電ロッドを連動させて上へ移動させ、それにより前記導電ロッドが前記ホットメルトブロックと電気的に接続され、それによりホットメルトブロックが密封袋を加熱して融合させることを実現することを特徴とする真空パック装置。
【請求項２】
前記操作チャンバの中には固定ブロックが設置され、前記固定ブロックの底壁の中には下方に開口した空きチャンバが設置され、前記空きチャンバの中には加圧ブロックが設置され、前記空きチャンバの頂壁の中にはスライド穴が設置され、前記操作チャンバの頂壁の中にはベルトチャンバが設置され、前記ベルトチャンバと前記第一伝動チャンバとの間には第四回転軸が回転できるように設置され、前記第一伝動チャンバの中の前記第四回転軸の末端には前記第一傘歯車と噛み合っている第二傘歯車が固定的に設置され、前記ベルトチャンバの中の前記第四回転軸の頂部が前記ベルトチャンバの頂壁の中に固定的に設置されている第二モータと動力が伝達できるように連結され、前記ベルトチャンバの中の前記第四回転軸の外面には第一プーリが固定的に設置され、前記ベルトチャンバの中には上下に伸びているねじスリーブが回転できるように設置され、前記ねじスリーブの中には上下に貫通している第二ねじ穴が設置され、前記第二ねじ穴の中には前記加圧ブロックと固定的に連結される第二ねじロッドがねじ山によって連結され、前記第二ねじロッドと前記スライド穴の端壁との間には第二復帰ばねが弾性的に設置され、前記ねじスリーブが回転して前記第二ねじロッドを連動させて下へ移動させ、それにより前記固定ブロックを連動させて下へ移動させることを特徴とする請求項１に記載の真空パック装置。
【手続補正２】
【補正対象書類名】明細書
【補正対象項目名】全文
【補正方法】変更
【補正の内容】
【発明の詳細な説明】
【技術分野】
【０００１】
本発明はパック分野に関わり、具体的には真空パック装置である。
【背景技術】
【０００２】
人々が顆粒状の物を包装する時、密封が足りなくて空気が入ってしまって物は変質する情況がよくあり、従って上記の問題を解決するため、真空パック装置が強く求められている。
【先行技術文献】
【特許文献】
【０００３】
【特許文献１】中国特許出願公開第１０９４６６８３３号明細書
【発明の概要】
【発明が解決しようとする課題】
【０００４】
本発明は真空パック装置を提供し、既存技術にある上記欠点を解消し、設備の実用性を高めることを目的とする。
【課題を解決するための手段】
【０００５】
本発明の真空パック装置は、装置本体及び前記装置本体に設置されている操作チャンバを含み、前記操作チャンバの底壁の中には上方に開口した回転チャンバが設置され、前記回転チャンバの中には前後に伸びている第一回転軸が回転できるように設置され、前記第一回転軸の外面には回転フレーム及びウォームホイールが固定的に設置され、前記回転フレームの中には上下に貫通している抜き穴が設置され、前記抜き穴の右側端壁の中には上下に貫通している第一スライド溝が設置され、前記第一スライド溝の中には第一スライド板がスライドできるように設置され、前記第一スライド板と前記第一スライド溝の端壁との間には第一復帰装置が弾性的に設置され、前記回転チャンバの底壁の中には密封袋の本体を置くことができる気体圧縮チャンバが設置され、前記気体圧縮チャンバの底壁の中には切換チャンバが設置され、前記切換チャンバと前記回転チャンバとの間には前記ウォームホイールと噛み合っているウォームが回転できるように設置され、前記切換チャンバの中の前記ウォームの末端には第一ギヤが固定的に設置され、前記切換チャンバの底壁の中には上方に開口したスライドチャンバが設置され、前記スライドチャンバの左側端壁の中には第一伝動チャンバが設置され、前記スライドチャンバの中にはスライドブロックがスライドできるように設置され、前記スライドブロックの頂壁の中には第一モータが固定的に設置され、前記第一モータの出力軸の上へ伸びている末端には第二ギヤが固定的に設置され、前記スライドブロックの中には左右に貫通している第一ねじ穴が設置され、前記第一ねじ穴の中には左右に伸びている第一ねじロッドがねじ山によって連結され、前記第一ねじロッドの左側延伸端が前記第一伝動チャンバの中に伸びており、また前記第一ねじロッドの末端には第一傘歯車が固定的に設置され、前記第一ねじロッドが回転して前記スライドブロックを移動連動させ、それにより前記第一モータが異なる動力を切り換えることが実現される。
【０００６】
好ましくは、前記スライドチャンバの右側端壁の中には第二伝動チャンバが設置され、前記第二伝動チャンバと前記切換チャンバとの間には第二回転軸が回転できるように設置され、前記切換チャンバの中の前記第二回転軸の末端には第三ギヤが固定的に設置され、前記第二伝動チャンバの中の前記第二回転軸の末端には第二傘歯車が固定的に設置され、前記第二伝動チャンバの右側端壁の中にはカムチャンバが設置され、前記第二伝動チャンバと前記カムチャンバとの間には第三回転軸が回転できるように設置され、前記第二伝動チャンバの中の前記第三回転軸の末端には前記第二傘歯車と噛み合っている第三傘歯車が固定的に設置され、前記カムチャンバの中の前記第三回転軸の末端にはカムが固定的に設置され、前記カムチャンバの頂壁の中には第二スライド溝が設置され、前記第二スライド溝の中には導電ロッドがスライド可能に設置され、前記導電ロッドの上方には通電ブロックを有するホットメルトブロックが設置され、前記ホットメルトブロックの上端と前記第一スライド板の下端とが互いに近づくとき密封袋の口をきつく挟んで密封でき、前記ホットメルトブロックと前記導電ロッドとの間には押圧ばねが弾性的に設置され、前記カムが回転して前記導電ロッドを連動させて上へ移動させ、それにより前記導電ロッドが前記ホットメルトブロックと電気的に接続され、それによりホットメルトブロックが密封袋を加熱して融合させることを実現する。
【０００７】
好ましくは、前記操作チャンバの中には固定ブロックが設置され、前記固定ブロックの底壁の中には下方に開口した空きチャンバが設置され、前記空きチャンバの中には加圧ブロックが設置され、前記空きチャンバの頂壁の中にはスライド穴が設置され、前記操作チャンバの頂壁の中にはベルトチャンバが設置され、前記ベルトチャンバと前記第一伝動チャンバとの間には第四回転軸が回転できるように設置され、前記第一伝動チャンバの中の前記第四回転軸の末端には前記第一傘歯車と噛み合っている第二傘歯車が固定的に設置され、前記ベルトチャンバの中の前記第四回転軸の頂部が前記ベルトチャンバの頂壁の中に固定的に設置されている第二モータと動力が伝達できるように連結され、前記ベルトチャンバの中の前記第四回転軸の外面には第一プーリが固定的に設置され、前記ベルトチャンバの中には上下に伸びているねじスリーブが回転できるように設置され、前記ねじスリーブの中には上下に貫通している第二ねじ穴が設置され、前記第二ねじ穴の中には前記加圧ブロックと固定的に連結される第二ねじロッドがねじ山によって連結され、前記第二ねじロッドと前記スライド穴の端壁との間には第二復帰ばねが弾性的に設置され、前記ねじスリーブが回転して前記第二ねじロッドを連動させて下へ移動させ、それにより前記固定ブロックを連動させて下へ移動させる。
【発明の効果】
【０００８】
本発明有益な効果は：本発明の真空パック装置を使用してパックする時に密封袋の中の空気を排出することができ、そして密封袋を密封し、使用が便利で、操作が簡単で、実用性が高い。
【図面の簡単な説明】
【０００９】
本発明の実施例または既存の技術にある技術方案をよりはっきり説明できるため、下記に実施例または既存の技術を述べることに対して必要な附図を簡単に紹介し、明らかなように、下記に述べた附図はただ発明の一部分の実施例で、当業者にとって、創造的な労働を払わなくても、これらの附図に基づいてほかの附図を獲得できる。
【００１０】
【図１】図１は本発明の真空パック装置の全体構成概略図
【図２】図２は図１の中のＡ−Ａの構成概略図
【図３】図３は図１の中のＢの拡大構成概略図
【図４】図４は図１の中のＣの拡大構成概略図
【図５】図５は図１の中のＤの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
下記に図１−５を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１３】
図１−５に示すように、本発明の真空パック装置は、装置本体１０及び前記装置本体１０に設置されている操作チャンバ１６を含み、前記操作チャンバ１６の底壁の中には上方に開口した回転チャンバ１８が設置され、前記回転チャンバ１８の中には前後に伸びている第一回転軸２１が回転できるように設置され、前記第一回転軸２１の外面には回転フレーム１７及びウォームホイール２０が固定的に設置され、前記回転フレーム１７の中には上下に貫通している抜き穴５６が設置され、前記抜き穴５６の右側端壁の中には上下に貫通している第一スライド溝４５が設置され、前記第一スライド溝４５の中には第一スライド板４６がスライドできるように設置され、前記第一スライド板４６と前記第一スライド溝４５の端壁との間には第一復帰装置４３が弾性的に設置され、前記回転チャンバ１８の底壁の中には密封袋の本体を置くことができる気体圧縮チャンバ５８が設置され、前記気体圧縮チャンバ５８の底壁の中には切換チャンバ５７が設置され、前記切換チャンバ５７と前記回転チャンバ１８との間には前記ウォームホイール２０と噛み合っているウォーム１９が回転できるように設置され、前記切換チャンバ５７の中の前記ウォーム１９の末端には第一ギヤ２２が固定的に設置され、前記切換チャンバ５７の底壁の中には上方に開口したスライドチャンバ３０が設置され、前記スライドチャンバ３０の左側端壁の中には第一伝動チャンバ２５が設置され、前記スライドチャンバ３０の中にはスライドブロック２８がスライドできるように設置され、前記スライドブロック２８の頂壁の中には第一モータ２９が固定的に設置され、前記第一モータ２９の出力軸の上へ伸びている末端には第二ギヤ５９が固定的に設置され、前記スライドブロック２８の中には左右に貫通している第一ねじ穴２７が設置され、前記第一ねじ穴２７の中には左右に伸びている第一ねじロッド２６がねじ山によって連結され、前記第一ねじロッド２６の左側延伸端が前記第一伝動チャンバ２５の中に伸びており、また前記第一ねじロッド２６の末端には第一傘歯車２４が固定的に設置され、前記第一ねじロッド２６が回転して前記スライドブロック２８を移動連動させ、それにより前記第一モータ２９が異なる動力を切り換えることが実現される。
【００１４】
有益なように、前記スライドチャンバ３０の右側端壁の中には第二伝動チャンバ３１が設置され、前記第二伝動チャンバ３１と前記切換チャンバ５７との間には第二回転軸４２が回転できるように設置され、前記切換チャンバ５７の中の前記第二回転軸４２の末端には第三ギヤ４４が固定的に設置され、前記第二伝動チャンバ３１の中の前記第二回転軸４２の末端には第二傘歯車４１が固定的に設置され、前記第二伝動チャンバ３１の右側端壁の中にはカムチャンバ３４が設置され、前記第二伝動チャンバ３１と前記カムチャンバ３４との間には第三回転軸３３が回転できるように設置され、前記第二伝動チャンバ３１の中の前記第三回転軸３３の末端には前記第二傘歯車４１と噛み合っている第三傘歯車３２が固定的に設置され、前記カムチャンバ３４の中の前記第三回転軸３３の末端にはカム３５が固定的に設置され、前記カムチャンバ３４の頂壁の中には第二スライド溝３８が設置され、前記第二スライド溝３８の中には導電ロッド３６がスライド可能に設置され、前記導電ロッド３６の上方には通電ブロックを有するホットメルトブロック４０が設置され、前記ホットメルトブロック４０の上端と前記第一スライド板４６の下端とが互いに近づくとき密封袋の口をきつく挟んで密封でき、前記ホットメルトブロック４０と前記導電ロッド３６との間には押圧ばね３９が弾性的に設置され、前記カム３５が回転して前記導電ロッド３６を連動させて上へ移動させ、それにより前記導電ロッド３６が前記ホットメルトブロック４０と電気的に接続され、それによりホットメルトブロック４０が密封袋を加熱して融合させることを実現する。
【００１５】
有益なように、前記操作チャンバ１６の中には固定ブロック４９が設置され、前記固定ブロック４９の底壁の中には下方に開口した空きチャンバ４８が設置され、前記空きチャンバ４８の中には加圧ブロック４７が設置され、前記空きチャンバ４８の頂壁の中にはスライド穴５１が設置され、前記操作チャンバ１６の頂壁の中にはベルトチャンバ１３が設置され、前記ベルトチャンバ１３と前記第一伝動チャンバ２５との間には第四回転軸１５が回転できるように設置され、前記第一伝動チャンバ２５の中の前記第四回転軸１５の末端には前記第一傘歯車２４と噛み合っている第二傘歯車２３が固定的に設置され、前記ベルトチャンバ１３の中の前記第四回転軸１５の頂部が前記ベルトチャンバ１３の頂壁の中に固定的に設置されている第二モータ１１と動力が伝達できるように連結され、前記ベルトチャンバ１３の中の前記第四回転軸１５の外面には第一プーリ１２が固定的に設置され、前記ベルトチャンバ１３の中には上下に伸びているねじスリーブ５３が回転できるように設置され、前記ねじスリーブ５３の中には上下に貫通している第二ねじ穴５４が設置され、前記第二ねじ穴５４の中には前記加圧ブロック４７と固定的に連結される第二ねじロッド５５がねじ山によって連結され、前記第二ねじロッド５５と前記スライド穴５１の端壁との間には第二復帰ばね５０が弾性的に設置され、前記ねじスリーブ５３が回転して前記第二ねじロッド５５を連動させて下へ移動させ、それにより前記固定ブロック４９を連動させて下へ移動させる。
【００１６】
以下、出願人は附図１−５及び上記の本出願の真空パック装置の具体的な構成を参考してその使用方法を詳しく紹介する：
【００１７】
本発明を利用して真空パックを行う時、前記第一モータ２９を始動して回転させて前記第二ギヤ５９を回転連動させ、それにより前記第一ギヤ２２、前記ウォーム１９と前記ウォームホイール２０を回転連動させ、それにより前記回転フレーム１７を連動させて一定の角度に回転させ、上記のパックを行うことができる密封袋の本体を前記空気圧縮チャンバ５８の中に置き、袋の口を右向きにして前記ホットメルトブロック４０の上方に置き、この時に前記第一モータ２９を始動して逆方向に回転させて前記回転フレーム１７を連動させて逆方向に回転させ、前記密封袋を挟み、この時に前記第二モータ１１を始動して前記第一プーリ１２を回転連動させ、それにより前記第二プーリ５２及び前記ねじスリーブ５３を回転連動させ、それにより前記第二ねじロッド５５を連動させて下へ移動させ、それにより前記固定ブロック４９を連動させて下へ移動させ、前記固定ブロック４９が下へ移動して前記第一スライド板４６と当接する時、前記第一スライド板４６が下へ移動して前記密封袋をきつく挟み、この時に前記ねじロッド５５が下へ移動し続けて前記加圧ブロック４７を連動させて下へ移動させ、前記加圧ブロック４７が下へ移動して前記空気圧縮チャンバ５８の中の空気を圧縮し、前記空気圧縮チャンバ５８の中の気圧が増加するにつれて、前記密封袋の中の気体が前記密封袋から押し出され、それと同時に、前記第二モータ１１が回転してまた前記第二傘歯車２３を回転連動させ、それにより前記第三傘歯車２４及び前記ねじロッド２６を回転連動させ、それにより前記スライドブロック２８を連動させて右へ移動させ、前記スライドブロック２８が右へ移動して前記第二ギヤ５９を連動させて前記第三ギヤ４４と噛み合わせ、この時に前記第一モータ２９を始動して回転させて前記第二ギヤ５９及び前記第三ギヤ４４を回転連動させ、それにより前記第二傘歯車４１、前記第三傘歯車３２と前記カム３５を回転連動させ、それにより前記導電ロッド３６を連動させて上へ移動させ、それにより前記導電ロッド３６が前記ホットメルトブロック４０にある通電ブロックと電気的に接続され、それにより前記ホットメルトブロック４０が密封袋を加熱して密封することを実現する。
【００１８】
以上詳細な分析からわかるのは：本発明の真空パック装置を使用してパックする時に密封袋の中の空気を排出することができ、そして密封袋を密封し、使用が便利で、操作が簡単で、実用性が高い。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。